(57)【特許請求の範囲】
【請求項１】
開口部を有する容器状に形成された便器本体と、
前記便器本体の内部に配設される袋体の口を締め付けることにより封止する紐体と、
一端が前記紐体に接続され他端が前記便器本体の前壁又は後壁の内壁に接続された弾性部材と、
前記便器本体の前記開口部に覆設される便座部と、
前記袋体の口を開口させるために前記便器本体の対向する側壁に対向して穿設された手入れ孔と、
を備えたことを特徴とする携帯用便器。
【請求項２】
前記紐体を掛止するために前記便器本体の内壁側面に対向して配設された紐掛け部を備えたことを特徴とする請求項１に記載の携帯用便器。
【請求項３】
前記便座部を前記便器本体に係止して固定するための係止手段を備えたことを特徴とする請求項１又は２に記載の携帯用便器。
【請求項４】
前記弾性部材が接続された前記便器本体の前壁又は後壁の内壁に対向して後壁又は前壁に配設され、回動することにより前記紐体を巻き取る巻き取り部と、
前記便器本体の前記巻き取り部の配設された前記前壁又は後壁側の側壁外面に配設され、前記巻き取り部を回動させるためのハンドル部と、
を備えたことを特徴とする請求項１乃至３の内いずれか１項に記載の携帯用便器。
【請求項５】
前記ハンドル部を前記便器本体に対して回動しないように固定するための固定手段を備えたことを特徴とする請求項４に記載の携帯用便器。
【発明の詳細な説明】
【０００１】
【発明の属する技術分野】
本発明は、使用後に排泄物が漏出したり悪臭を放ったりすることを防止できるようにした、持ち運ぶことが可能で屋外や車内等で使用することのできる携帯用便器に関するものである。
【０００２】
【従来の技術】
近年、自家用車等の普及により自家用車で家族で郊外に外出したりする機会が増え、これにより持ち運ぶことが可能で、屋外、車内等で使用できる携帯用便器が種々開発されている。これらの携帯用便器は便器本体に防臭又は外観の向上のための蓋を備えた携帯用便器が広く知られている。また、便器本体の内部に袋を開口部を上にして配設しその上から、孔を有した又はＵ字形の便座を便器本体の開口部に覆設し袋に排泄物を収容する携帯用便器が広く用いられている。
【０００３】
しかしながら、これらの携帯用便器は、容量が小さかったり、使用性、利便性に欠けていた。そこで、これらの課題を解決するため、種々の携帯用便器が開発されている。例えば、特開平８−１９６４７６公報（以下、イ号公報と呼ぶ）には「便器本体の内部に貯便槽を収容する構造の便器で、その貯便槽を塞ぐ蓋を備えた携帯用便器において、上記貯便槽の蓋の縁部に掛け片を設けるとともに、その蓋の掛け片を引っ掛けるための掛け部を上記便器本体の周壁に設けたことを特徴とする携帯用便器」が開示されている。
また、特開平１１−１９２１８８号公報（以下、ロ号公報と呼ぶ）には「平面視で方形状の壁を構成する合成樹脂製の左右の側壁と前後壁とからなる囲壁と、合成樹脂製の便座とからなり、前記前後壁または左右の側壁の何れかの一対が幅方向略中間部分で分割され、中間連結軸を介して折り曲げ自在に連結され、かつ、前後壁と左右の側壁とのそれぞれの角隅部同士も隅部連結軸を介して折り曲げ自在に連結され、前記便座はほぼ偏平状でその下面部に嵌合部を備え、前記囲壁の上端に形成された嵌合部と互いに嵌合する構造を備えた携帯用合成樹脂製便器」が開示されている。
【０００４】
【発明が解決しようとする課題】
しかしながら上記従来の携帯用便器は、以下のような課題を有していた。
（１）イ号公報に記載の携帯用便器は、使用後は防臭のために便器本体に蓋をするが、蓋を便器本体に固定する手段を備えていないため、自家用車の振動等で便器本体が傾いたり倒れたりすると収容された排泄物が漏出するという問題点を有していた。
（２）ロ号公報に記載の携帯用便器は、排泄物を収容する袋を密封する手段を備えていないので、使用後に便器本体を傾けたり倒したりすると収容された排泄物が袋の口から漏出するという問題点を有していた。
（３）ロ号公報に記載の携帯用便器は、排泄物を収容する袋を密封する手段を備えていないので、使用後に排泄物の悪臭を防ぐことができないという問題点を有していた。
【０００５】
本発明は上記従来の課題を解決するもので、使用後に排泄物が収容された便器本体を傾けたり倒したりしても収容された排泄物が漏出することがなく、また、排泄物から生じる悪臭を防ぐことができるとともに、安定した姿勢で使用でき利便性に優れた携帯用便器を提供することを目的とする。
【０００６】
【課題を解決するための手段】
上記課題を解決するために本発明の携帯用便器は、
開口部を有する容器状に形成された便器本体と、
前記便器本体の内部に配設される袋体の口を締め付けることにより封止する紐体と、
一端が前記紐体に接続され他端が前記便器本体の内壁側面に接続された弾性部材と、
前記便器本体の前記開口部に覆設される便座部と、
前記袋体の口を開口させるために前記便器本体の対向する側壁に対向して穿設された手入れ孔と、
を備えた構成を有している。
この構成により、使用後に排泄物が収容された便器本体を傾けたり倒したりしても収容された排泄物が漏れることがなく、使用後に排泄物から発せられる悪臭を防ぐことができる携帯用便器を提供することができる。
【０００７】
【発明の実施の形態】
本発明の請求項１に記載の携帯用便器は、
開口部を有する容器状に形成された便器本体と、
前記便器本体の内部に配設される袋体の口を締め付けることにより封止する紐体と、
一端が前記紐体に接続され他端が前記便器本体の内壁側面に接続された弾性部材と、
前記便器本体の前記開口部に覆設される便座部と、
前記袋体の口を開口させるために前記便器本体の対向する側壁に対向して穿設された手入れ孔と、
を備えた構成を有している。
この構成により、以下のような作用を有する。
（１）袋体の口を締め付けにより封止することができる紐体を備えているので、排泄物が収容された袋体を密封することができ、便器本体を傾けたり倒したりしても、排泄物が漏出することなく使用性に優れるという作用を有する。
（２）袋体の口を締め付けにより封止することができる紐体を備えているので、排泄物が収容された袋体を密封することができ、袋体に収容された排泄物から生じる悪臭を防ぐことができるという作用を有する。
（３）袋体の締め付けを解除し袋体の口を開口させる際に、内部に手を挿入し袋体の外表面を両側から引っ張って袋体の口を開口させることができる使用性に優れるという作用を有する。
【０００８】
ここで、便器本体及び便座部を形成する素材としては、木材、鉄等の金属、フェノール樹脂等の合成樹脂等が用いられるが、使用者が座って使用する際の人体の荷重に耐えられる強度を有し、また、容易に携帯ができる程度に軽量であることが必要であるので、木製や、フェノール樹脂、ＰＰ、ＰＥ等の合成樹脂製で形成されることが好ましい。
【０００９】
便器本体の形状としては、上部に開口部を有した箱状、筐体状が用いられる。便器本体の大きさとしては、使用者が子供又は大人あるいは老人であっても容易に座って排泄を行うことができ、かつ、携帯し易いように，縦が２００ｍｍ乃至４００ｍｍ、横が１５０ｍｍ乃至３００ｍｍ、高さが１００ｍｍ乃至２５０ｍｍである箱状の形状とする。
ここで、手入れ孔は、使用者が手を挿通できるように矩形又は円形もしくは楕円形等の孔が便器本体の対向する側面の両側に穿設される、または、便器本体に便座部を係止した際に内部に手を挿入できるように便器本体の両側の対向する側面の一部が切り取られて形成される。
【００１０】
また、便座部は便器本体に蓋をするように覆設される。
便座部の形状は、中央部に、円形、楕円形、卵形、長方形、略三角形、雫状等の穴部を有した板状、または、平面視形状が略Ｕ字形である板状のものが用いられる。穴部の形状としては、特に使用者が座った時の後方を大きくした卵形の形状とすれば、座って使用する際に使用し易く好ましい。また、便座部の表面は、使用者が座った際に肌が接するため肌触り良く滑らかに加工されるか、布等で作られたカバーを覆設する等して、使用者が快適に、また、衛生的に使用できるようにする。また、便座部を便器本体の開口部の形状に合わせて形成し、便器本体側面から便座部の表面にかけて凹凸をできるだけ少なくした形状とすれば、外観的に好ましく、また、携帯する際にも凹凸をできるだけ少なくした形状であれば携帯が容易である。また、便座部を便器本体の開口部よりも大きく形成し、例えば、使用者が座る位置を広くした卵形の形状等とすれば、便座部を使用者が座るのに十分な大きさを有することで使用者はより快適に使用することが可能である。
【００１１】
袋体としては、ビニール袋やポリ袋等の遮水性の薄膜袋が用いられる。また、内部に収容した排泄物の漏出を防ぐために袋体を複数枚数重ねて使用することが好ましい。
袋体を便器本体に配設する方法としては、便器本体に袋体をその上部周縁で便器本体を覆うように被せて、中央部分を便器本体の内部に入れ、便座部を便器本体の上部から載置するように置き、袋体を便器本体と便座部で挟んで固定する方法が用いられる。
【００１２】
紐体としては、ビニール紐、綿紐、木綿糸等を編んだ組紐、梱包用紐、金属製のワイヤ等が用いられる。
締め付けの方法としては、１本の紐体の中央部を弾性部材に掛止する等して接続するか、または、同じ長さの２本の紐体のそれぞれの一端部を弾性部材に同位置で接続し、１本の紐体の両端部、又は２本の紐体のそれぞれの他端部は便器本体の側面等に穿設された孔に便器本体の内部から外部へ挿通させ、紐体を外部から手等で引っ張ることにより、便器本体内部に紐体により形成された環状部分を小さくし、袋体をその環状部分に挿通させておくことにより袋体の口の締め付けを行う方法、または、この方法において１本の紐体の両端部又は２本の紐体の他端部を引っ張る手段として、紐体を巻き取るための巻き取り部とそれを回動させるためのハンドルを設けて、ハンドルを操作することにより締め付けを行う方法等が用いられる。
【００１３】
弾性部材としては、鉄等の金属でつくられたコイルばね、天然ゴム又は合成ゴム等のゴム等が用いられるが、コイルばねを用いることが好ましい。コイルばねとしては、引っ張りに対して復元力の働く引っ張りコイルばねが用いられる。これは、弾性部材の復元力は締め付けた状態を解くために使用され、力の加わっていない紐体を引くのみであるので強い復元力を必要としないが、排便後に紐体を手等で引き、袋を締め付け、その紐を結ぶ等して係止し、袋体の口を紐で締め付け閉口させた状態を維持したとき、弾性部材は延びた状態であるので、長時間延ばした状態を維持させても、弾性部材が塑性変形しないことが必要であるためである。
【００１４】
本発明の請求項２に記載の発明は、請求項１に記載の携帯用便器であって、前記紐体を掛止するために前記便器本体の内壁側面に対向して配設された紐掛け部を備えた構成を有している。
この構成により請求項１の作用に加え、以下のような作用を有する。
（１）紐体が紐掛け部に掛止され、締め付けの際に紐掛け部に支持されることで、紐体が袋体の下方を締め付けることを防止でき、紐体が袋体の所定の位置を締め付けることができるので、排泄物が収容された袋体を確実に密封することができるという作用を有する。
【００１５】
紐掛け部としては、Ｕ字形又はＶ字形等の針金等の棒状部材でありその両端部が便器本体の内壁側面に対向して、凸部が斜め上向きに配設される。なお、紐掛け部は紐体を掛止し、掛止した後に紐体が引っ張られると容易に掛止が外れるような角度をなして配設され、紐体は袋体の所定の位置を締め付けることができる。
【００１８】
本発明の請求項３に記載の発明は、請求項１又は２に記載の携帯用便器であって、前記便座部を前記便器本体に係止するための係止手段を備えた構成を有している。
この構成により請求項１又は２の作用に加え、以下のような作用を有する。
（１）便座部を便器本体に係止して固定する係止手段を備えているので、便器本体が傾いたり、倒れたりしても、便座部が便器本体から外れることがなく、携帯する際の使用性に優れるという作用を有する。
【００１９】
便座部を便器本体に係止し固定する手段としては、一方に凸部を設け他方にこれを受け入れる凹部を設けて、嵌合させて係止する、または、便器本体と便座部の内、一方に凸部を設け、他方に針金等で形成され便器本体に２点で回動自在に係止された鉤状部材を設け、凸部に鉤状部材を掛止して固定する手段が用いられる。このとき、鉤状部材を便座部の側部等に配設し、凸部を便器本体の側面に形成された手入れ孔の枠面に形成する等して、使用者が座ったとき鉤状部材及び凸部に触れないようにすれば、使用者は快適に使用できる。
また、便座部を便器本体に蝶番等で回動自在に係止して、回動することにより開閉ができるようにすれば、便座部は便器本体に接続されているので紛失等することがない。このとき、前述のように、係止手段を便座部及び便器本体の対向する両側に設ける必要はなく、蝶番等で回動自在に係止された側に対向した位置に設ければよい。
【００２０】
本発明の請求項４に記載の発明は、請求項１乃至３の内いずれか１項に記載の携帯用便器であって、
前記弾性部材が接続された前記便器本体の前壁又は後壁の内壁に対向して後壁又は前壁に配設され、回動することにより前記紐体を巻き取る巻き取り部と、
前記便器本体の前記巻き取り部の配設された前記前壁又は後壁側の側壁外面に配設され、前記巻き取り部を回動させるためのハンドル部と、
を備えた構成を有している。
この構成により請求項１乃至３の内いずれか１項の作用に加え、以下のような作用を有する。
（１）ハンドル部を手等で回動させることにより袋体の開口部の締め付けを行うことができるので、取扱いが容易で操作性に優れるという作用を有する。
【００２１】
巻き取り部は、ハンドル部を回動させることによって連動して回動する。巻き取り部には、中央部が弾性部材に掛止される等して接続された１本の紐体の両端部、又は一端部が弾性部材に連結された２本の紐体の他端部が連結される。
紐体を巻き取り部に接続する方法としては、巻き取り部に１又は２個の巻き取り部を貫通しない孔を穿設し、その孔に紐体を挿入して内部で接着剤等により接着し接続するか、又はその内部に掛止部材を設けて内部で掛止して接続する、あるいは、巻き取り部にナイロン糸等の糸状部材を紐体を挟むようにして巻着させ、結び付けることにより接続する等が用いられる。これにより、巻き取り部が回動すると、連結された紐体は巻き取り部に巻着し、巻き取られる。
巻き取り部の形状としては円柱状でその中心に軸を挿通させる孔を穿設したもの等が用いられるが、このとき端部側を央部側より太くすれば、巻き取り部に巻着する紐体が、巻き取りの過程で巻き取り部から外れることを防止できる。また、巻き取り部は、一端部にハンドル部が固定され便器本体の側面に対向して穿設された軸係支孔に挿通され回動自在に係支された軸に、便器本体の内部で固定される等して、ハンドル部の回動に連動して回動するように配設される。
巻き取り部を軸に固定する手段としては、接着剤等を用いて接着して固定する、または、巻き取り部の表面から、巻き取り部に挿通させた軸まで貫通した孔を穿設し、その孔にボルト等を螺着し、係止して固定する等が用いられる。
また、巻き取り部により紐体を巻き取って袋体の途中を締め付けた状態を維持するために、ハンドル部を便器本体に対して固定する固定手段を備えていることが好ましい。ハンドル部の固定手段としては、ハンドル部及び便器本体にそれぞれ１乃至複数の孔を連通するように穿設し、それらの孔を連通するように棒状部材を挿通させてハンドル部を便器本体に対して固定する等が用いられる。このとき、便器本体に孔を穿設せずに、孔を穿設した板状部材をハンドル部と便器本体の間に挟むように便器本体に固定し、その板状部材に設けられた孔とハンドル部に設けられた孔に連通するように棒状部材を挿通させ固定してもよい。
【００２２】
また、ハンドル部の回動を容易に行うために、ハンドル部は手等で把持するための把持部を備えていることが好ましい。
【００２３】
本発明の請求項５に記載の発明は、請求項４に記載の携帯用便器であって、前記ハンドル部を前記便器本体に対して回動しないように固定するための固定手段を備えた構成を有している。
この構成により請求項４の作用に加え、以下のような作用を有する。
（１）ハンドル部を固定すると、連結している巻き取り部が回動不能となり、紐体による袋体の口の締め付けを維持することができるので、排泄物を収容した袋体を密封した状態を維持することで、排泄後の悪臭及び、便器本体が倒れる等した際に排泄物が漏出することを防ぐことができる。
【００２４】
ハンドル部は、紐体による袋体の口の締め付けを維持するために、締め付けが完了したときのハンドル部の位置で固定可能であることが好ましい。また、袋体の厚さ等により締め付けが完了した時のハンドル部の位置が変化するため、ハンドル部は任意の位置で固定可能であることが好ましいが、どのような厚さの袋体を用いても袋体に収納された排泄物が漏出しないように袋体を締め付けることができる位置で固定可能であればよい。
ハンドル部を締め付けが完了した位置で固定する方法としては、ハンドル部と便器本体の側面とにそれぞれ孔を穿設し、２つの孔を連通するように棒状の部材を挿通させて固定する方法、または、便器本体の側面とハンドル部との間に適度な厚みを有した板状部材を便器本体の側面に固定して設け、その板状部材に孔を穿設して２つの孔を連通するように棒状の部材を挿通させて固定する方法等が用いられる。また、このとき、便器本体の側面又は板状部材に複数の孔を穿設し、複数の位置で固定することができる。なお、ハンドル部に穿設する孔を複数にし、複数の位置で固定してもよい。さらに、便器本体の側面又は便器本体に固定された板状部材に穿設された孔に挿通させていた棒状の部材を抜けば、ハンドル部の固定は解け、弾性部材により紐体が引っ張られて紐体による袋体の口の締め付けは解除される。
【００２５】
以下に本発明の一実施の形態について説明する。
（実施の形態１）
図１は本発明の実施の形態１における携帯用便器の要部斜視図であり、図２は本発明の実施の形態１における便座部及び袋体を取り外した状態を示す携帯用便器の要部斜視図であり、図３（ａ）は本発明の実施の形態１における袋体の締め付けが行われていない状態を示す携帯用便器の要部平面図であり、図３（ｂ）は本発明の実施の形態１における袋体の締め付け後の状態を示す携帯用便器の要部平面図である。
なお、図３（ａ）及び図３（ｂ）において、便座部及び袋体の締め付け部分より上部は省略している。
【００２６】
図１において、１は本実施の形態における携帯用便器、２は合成樹脂や木板により形成され、上面が開口した箱状の便器本体、３は便器本体２の長手方向の側壁に回動自在に配設されたハンドル部、３ａはハンドル部３の円形の側面から突出して設けられているハンドル把持部、４はハンドル部３に穿設されたハンドル孔、５はハンドル孔４に挿入されるハンドル固定軸、６は便器本体２の側面とハンドル部３に挟まれて形成され、便器本体２の側面に固定されたハンドル固定部、６ａはハンドル固定部６に穿設され、ハンドル孔４に挿通されたハンドル固定軸５を摺動させることにより挿入しハンドルを固定するためのハンドル固定孔、７は便器本体２の内部に配設され、排出物を収容するための袋体、８は便器本体２の上部から載置するように置かれ、係止されて便器本体２に固定される便座部、８ａは便座部８の央部に穿設されて形成された排泄孔、９はコ字形状の針金等を鉤状に折り曲げ、さらにその両端部をＬ字形状に折り曲げて形成され、便座部８の長手方向の側面の使用者が座った時に左右となる位置にその両端部が回動自在に掛止され配設された便座部係止部、１０は手入れ孔１２ａ、１２ｂ（後述）の枠の上面に下向きに突設され、便座部係止部９を掛止して便座部を固定するための突起部、１１は便座部８の後端部上面において固定され便座部８に覆設された便座部カバー、１２ｂは便器本体２の長手方向の側面に設けられた手入れ孔である。
図２において、１は携帯用便器、２は便器本体、３はハンドル部、４はハンドル孔、５はハンドル固定軸、６はハンドル固定部、１０は突起部、１２ｂは手入れ孔であり、これらは図１と同様のものであるので同一の符号を付して説明を省略する。
１２ａは便器本体２の長手方向の側面に、手入れ孔１２ｂに対向して穿設された手入れ孔、１３は前壁面と、対向する２つの側壁面とが平面視形状で略コ字形状になるように配置されて形成され、便器本体２の内壁面に固定された巻き取り部保持部、１４は巻き取り部保持部１３の前壁面に穿設された締め付け孔、１５ｂは巻き取り部保持部１３の対向する側壁面に穿設された軸係支孔、１６は軸係支孔１５ｂに回動自在に軸支され、一端部が軸挿通孔２２（後述）を挿通するように配設された巻き取り軸、１７は巻き取り部保持部１３の内部で巻き取り軸１６に固定されハンドル部３の回動に連動して回動する巻き取り部、１８ｂは巻き取り部保持部１３のハンドル部３側の側部の巻き取り軸１６に配設された軸ストッパー、１９ａ、１９ｂは一端部がコイルばね２０（後述）に接続され、他端部は締め付け孔１４を挿通して巻き取り部１７の央部表面に接続固定された組紐、２０は一端部が便器本体２の内壁面に接続され、他端部は２本の組紐１９ａ、１９ｂが接続される弾性部材の１つであるコイルばね、２１ａはＵ字状又は山形状に形成され、その基部が便器本体２の長手方向の側壁の内壁に配設され、金属製や合成樹脂製の線状物で形成された紐掛け部である。
図３（ａ）及び図３（ｂ）において、１は携帯用便器、２は便器本体、３はハンドル部、４はハンドル孔、５はハンドル固定軸、６はハンドル固定部、６ａはハンドル固定孔、７は袋体、１２ａ、１２ｂは手入れ孔、１３は巻き取り部保持部、１４は締め付け孔、１５ｂは軸係支孔、１６は巻き取り軸、１７は巻き取り部、１８ｂは軸ストッパー、１９ａ、１９ｂは組紐、２０はコイルばね、２１ａは紐掛け部であり、これらは図１又は２と同様のものであるので同一の符号を付して説明を省略する。
１５ａは巻き取り部保持部１３の側壁面に軸係支孔１５ｂに対向するように穿設された軸係支孔、１８ａは巻き取り軸１６のハンドル部３が固定された端部の反対側端部に形成され、巻き取り部保持部１３を介して軸ストッパー１８ｂに対向するように配設された軸ストッパー、２１ｂは紐掛け部２１ａと同形状に形成され、紐掛け部２１ａに対向するように、その基部が便器本体２の長手方向の側壁の内壁に配設された紐掛け部、２２は便器本体２の長手方向の側面とハンドル固定部６とを連通するように穿設された軸挿通孔である。
【００２７】
なお、ハンドル部３は回動させる際に手で把持するためのハンドル把持部３ａを備えている。ハンドル把持部３ａは、一端部がハンドル部３に接続されて固定され、また、把持し易いように他端部が球状に形成されている棒状部材である。ハンドル孔４はハンドル部３に複数穿設してもよい。
ハンドル固定部６はハンドル部３と同形状に形成されており、その円形の側面の同心円上に等間隔で１２個のハンドル固定孔６ａが穿設されている。それぞれのハンドル固定孔６ａはハンドル部３を回動させたときにハンドル孔４と順次連通するように穿設されている。
ハンドル固定孔６ａはハンドル固定軸５が挿通できる大きさと形状を有している。また、ハンドル部３を回動させ締め付けを行った後、ハンドル固定軸５をハンドル孔４とハンドル固定孔６ａとに連通して挿入することによりハンドル部３を固定するが、ハンドル固定孔６ａが１２個設けられていることにより、どのような長さの組紐１９ａ、１９ｂを用いても袋体７を締め付けた位置でハンドル部３を固定することができる。
袋体７は、ポリエチレン等の合成樹脂や合成紙により形成され、口が便器本体２の上面開口部より大きく、便器本体２の上面開口部の周縁に覆うように被せることができるものを用いる。また、袋体７は、その口が便器本体２と便座部８に挟まれて係止された状態であっても組紐１９ａ、１９ｂによって締め付けられ、内部に収容された排泄物が密封されるような大きさを有する。
使用者が使用する際に座る便座部８は、央部に略卵形の排泄孔８ａを有し、その幅の最長部は１５０ｍｍ〜２５０ｍｍとなるように形成される。また、便座部８の表面は使用者が座ったときに快適であるように滑らかに加工されている。
また、便座部８に回動自在に配設された便座部係止部９は、便器本体２に向かって回動させることにより手入れ孔１２ａ、１２ｂの上枠面に突設された突起部１０に嵌合され、便座部８を便器本体２に係止する。
便座部カバー１１は合成ゴム、天然ゴム等を用いて、厚さが５ｍｍ〜１５ｍｍで便座部８の外周部の形状と同形状に形成される。携帯用便器１を使用しない際には便座部カバー１１は便座部８に覆設され、また、携帯用便器１を使用する際には排泄孔８ａが露出されるように、その後部においてのみ接着剤等により便座部８に固定され、前部においてはマジックテープ等を用いて便座部８に係止できるようにする。
また、手入れ孔１２ａ、１２ｂは使用者が手を挿入することができるように、縦が１００ｍｍ〜１５０ｍｍ、横が１００ｍｍ〜１５０ｍｍの矩形状の形状とし、便器本体２の内部の袋体７が配設される位置に対応した便器本体２の側面に穿設されている。
巻き取り部保持部１３は便器本体２と別途形成された合成樹脂製又は金属製で形成され、その両端部を折り曲げて接着剤等により接着又はビスで固定されるか、あるいは、便器本体２に一体成形される。
締め付け孔１４は、組紐１９ａ、１９ｂは容易に挿通されるが、組紐１９ａ、１９ｂによって締め付けられ束ねられた袋体７の一部が、挿入されない程度の大きさを有する。
巻き取り軸１６は、巻き取り部保持部１３の対向する側壁面に対向して穿設された軸係支孔１５ａ、１５ｂに挿通され回動自在に係支される。巻き取り軸１６には長さ方向に移動することを防ぐために、軸径を大きくして形成された軸ストッパー１８ａ、１８ｂが備えられている。これは、巻き取り軸１６がその長さ方向に移動して、軸係支孔１５ａ、１５ｂから抜けることを防ぐためであり、また、巻き取り軸１６がその長さ方向に移動してハンドル部３が便器本体２の側面に接触する等してハンドル部３の回動が速やかに行われないことを防ぐためである。
組紐１９ａ、１９ｂは、ナイロン糸等の糸状部材を組紐１９ａ、１９ｂを挟んで巻き取り部１７に巻着して結び付けることにより巻き取り部１７に接続固定される。これにより、組紐１９ａ、１９ｂが切断した場合でも容易に交換し、接続固定することが可能である。
コイルばね２０には、引っ張りに対する復元力を有する引っ張りコイルばねを使用する。コイルばね２０の長さとしては、便器本体２の縦方向の長さの１／８〜１／３となるものを用いる。
紐掛け部２１ａ、２１ｂは、Ｕ字形や山形状に形成された線状部材でありその両端部が便器本体２の内壁面の側面に固定され、凸部が斜め上向きに配設される。なお、紐掛け部２１ａ、２１ｂは、組紐１９ａ、１９ｂを掛止することができ、また、掛止した後に、巻き取り部１７により組紐１９ａ、１９ｂが巻き取られると容易に掛止が外れるような角度をなして配設され、また、袋体７の途中を所定の位置で締め付けることができるような大きさを有している。
【００２８】
以上のように構成された本実施の形態における携帯用便器について、以下その動作を説明する。
まず、袋体７を便器本体２の内部に配設する動作について図３（ａ）を用いながら説明する。なお、はじめは便座部８を便器本体２から外した状態から説明する。
袋体７を便器本体２の内部に配設するには、まず、組紐１９ａ、１９ｂをそれぞれ紐掛け部２１ａ、２１ｂに掛止する。その時、組紐１９ａ、１９ｂは便器本体２の内部において環状に形成される。環状に形成された組紐１９ａ、１９ｂに袋体７を挿通させるように便器本体２に配設する。さらに、袋体７の口を便器本体２の上部周縁に便器本体２を覆うように被せる。
さらに、便座部８を便器本体２の上部に載置し、便座部係止部９を回動させ突起部１０に係止して、袋体７を便器本体２と便座部８で挟むように、便座部８を便器本体２に固定する。
このとき、コイルばね２０は伸びていないので、組紐１９ａ、１９ｂはコイルばね２０の弾性力により引っ張られてはいない。また、ハンドル部３はハンドル固定軸５により固定されていないので、回動自在である。
このように、袋体７を便器本体２の内部に配設して、携帯用便器１は使用者が排便を行える状態となる。
【００２９】
次に、袋体７を密封する動作について図３（ｂ）を用いながら説明する。なお、上記の動作により袋体７を便器本体２の内部に配設した後、排便を行ったとして説明する。
排便を行った後、袋体７を密封するには、まず、手等によりハンドル部３に備えられたハンドル固定軸５を把持し、ハンドル部３をＡ方向へ回動させる。ハンドル部３の回動により巻き取り軸１６を介して連動して巻き取り部１７が回動する。このとき、巻き取り部１７の表面には組紐１９ａ、１９ｂが接続されているので、組紐１９ａ、１９ｂは巻き取り部１７に巻き取られる。
さらにハンドル部３をＡ方向へ回動させると、組紐１９ａ、１９ｂはそれぞれ掛止されていた紐掛け部２１ａ、２１ｂから外れ、さらに巻き取られて弛みがなくなり直線状となって２本の組紐１９ａ、１９ｂで袋体７の途中を挟んだ状態となるが、完全に袋体７を締め付けてはいない。このとき、袋体７は巻き取り部保持部１３の外部の組紐１９ａ、１９ｂによって途中を挟まれているので、巻き取り部保持部１３の外部の巻き取り部１７に巻き取られていない組紐１９ａ、１９ｂの長さが巻き取りによって短くなるにつれ、締め付けが行われる。コイルばねが伸びて先端が締め付け孔の近傍にくると、袋体７は組紐１９ａ、１９ｂによって締め付け孔１４に圧接され、袋体７は途中部分が括られたようになり締め付けが完了する。
袋体７を締め付けた状態を維持するために、ハンドル孔４に挿入されているハンドル固定軸５をハンドル固定孔６ａのうちハンドル孔４に連通しているものに挿入しハンドル部３を固定させる。ハンドル部３を固定すれば連動する巻き取り部１７は回動しないので、締め付けが維持される。
【００３０】
また、排便が行われて袋体７の口が締め付けられ、密封されているときに再度使用するためには、袋体７の口の締め付けを解かなければならない。このときの動作について説明する。
締め付けを解くには、まず、固定されているハンドル部３のハンドル固定軸５をハンドル固定孔１２から抜き、ハンドル部３を回動自在にする。これにより、ハンドル部３に連動した巻き取り部１７が回動自在となる。さらに、巻き取り部１７に巻着している組紐１９ａ、１９ｂはコイルばねの弾性力により引っ張られ、連動して巻き取り部１７は回動する。これにより、緊張していた組紐１９ａ、１９ｂは弛緩するため、袋体７の締め付けが解け、袋体７の口が開口する。
このとき、前回の使用時に排泄された排泄物による悪臭を防ぐために袋体７を締め付け位置より下方においてクリップ等で挟んで密封しておくことができる。なお、ここで使用されるクリップとしては、互いに回動自在に端部において接続された２つの棒状部材で、一方の棒状部材は、他方の棒状部材を受け入れることができるように断面形状がコ字形状であり、袋体７を挟んで一方を他方に嵌合させて密封できるもの等が用いられる。
また、袋体７の口が排便を行うに十分に開口していない場合は、手入れ孔に外部から手等を挿入し、袋体７の口を外側から掴んで引っ張り、袋体７の口を排便を行うのに十分なように開口させる。こうして、携帯用便器１は使用者が排便を行える状態となる。
【００３１】
使用後に、排泄物が収容された袋体７を取り出す動作について説明する。なお、上記の動作により袋体７の締め付けを行ったとして説明する。
使用後に、排泄物が収容された袋体７を取り出すには、まず、便座部８を便器本体２に係止している便座部係止部９を便座部８の突起部１０から外し、便座部８を便器本体２より取り外す。次に、便器本体２の上部周縁に便器本体２を覆うように被せられた袋体７を束ねて結ぶ、または、紐等で縛る、あるいは、クリップ等で締め付けている部分を挟み固定して、袋体７を密封する。このとき、袋体７の途中は組紐１９ａ、１９ｂによっても締め付けられているので、便器本体２から袋体７を取り出すには、組紐１９ａ、１９ｂによる締め付けを解かなければならない。
締め付けを解くには、まず、固定されているハンドル部３のハンドル固定軸５をハンドル固定孔１２から抜き、ハンドル部３を回動自在にする。これにより、ハンドル部３に連動した巻き取り部１７が回動自在となる。さらに、巻き取り部１７に巻着している組紐１９ａ、１９ｂはコイルばねの弾性力により引っ張られ、連動して巻き取り部１７は回動する。
これにより、緊張していた組紐１９ａ、１９ｂは弛緩するため、袋体７の締め付けが解けるので、便器本体２から袋体７を取り出すことができる。
【００３２】
以上のように本実施の形態における携帯用便器は構成されているので、組紐１９ａ、１９ｂにより袋体７を締め付けにより密封することができ、使用後に排泄物が収容された袋体７が収容された便器本体２を傾けたり倒したりしても、収容された排泄物が漏れることがなく、袋体７に収容された排出物から発せられる悪臭を防ぐことができる。
また、ハンドル部３を備えているので組紐１９ａ、１９ｂを巻き取ることができ、さらに、ハンドル部３を固定するためのハンドル固定軸５及びハンドル固定孔１２により袋体７の途中を締め付けた状態を維持することができるので、袋体７の密封、開封を容易に行うことができるという作用を有する。
【００３３】
なお、本実施の形態において、巻き取り軸１６は巻き取り部保持部１３に穿設された軸係支孔１５ａ、１５ｂにより回動自在に係支されているが、便器本体２の両側面に対向する孔を穿設して、これに巻き取り軸１６を回動自在に係支するとしてもよい。
また、本実施の形態において、便座部係止部９は手入れ孔１２ａ、１２ｂの枠面に突設された突起部１０に嵌合されているが、手入れ孔１２ａ、１２ｂの枠面に形成された凹部に嵌合されるとしてもよい。
また、排泄後に袋体７を組紐１９ａ、１９ｂにより締め付け、密封を維持する際に、締め付けた部分にクリップ等を挟んで固定し、二重に締め付けておけば、万一ハンドル部３の固定が解けて、組紐１９ａ、１９ｂによる締め付けが解けても、排泄物が漏出することはない。
また、携帯用便器１を使用しないときに、便器本体２に係止された便座部８に便座部カバー１１を覆設しておけば、外観が向上でき、また、便座部８の上面に埃などが付着することを防げるので清潔性に優れる。
なお、本実施の形態においては便座部カバー１１はゴムを用いて形成されたとしたが、合成樹脂で形成された蓋等を覆設するとしても良い。
【００３４】
【発明の効果】
以上のように、本発明の携帯用便器によれば、以下のような有利な効果が得られる。
本発明の請求項１に記載の発明によれば、
（１）袋体の口を締め付けにより閉じることができる紐体を備えているので、排泄物が収容された袋体を密封することができ、便器本体を傾けたり倒したりしても、排泄物が漏出することなく使用性に優れる携帯用便器を提供することができる。
（２）袋体の口を締め付けにより閉じることができる紐体を備えているので、排泄物が収容された袋体を密封することができ、袋体に収容された排出物から生じる悪臭を防ぐことができる携帯用便器を提供することができる。
（３）袋体の締め付けを解除し袋体の口を開口させる際に、内部に手を挿入し袋の外表面を両側から引っ張って袋の口を開口させることができる使用性に優れる携帯用便器を提供することができる。
【００３５】
本発明の請求項２に記載の発明によれば、請求項１の効果に加え、
（１）紐体が紐掛け部に掛止され、締め付けの際に紐掛け部に支持されることで、紐体が袋体の下方を締め付けることを防止でき、紐体が袋体の所定の位置を締め付けることができるので、排泄物が収容された袋体を確実に密封することができる携帯用便器を提供することができる。
【００３７】
本発明の請求項３に記載の発明によれば、請求項１又は２の効果に加え、
（１）紐体が袋体の所定の位置を締め付けることができるので、排泄物が収容された袋体を確実に密封することができる携帯用便器を提供することができる。
【００３８】
本発明の請求項４に記載の発明によれば、請求項１乃至３の内いずれか１項の効果に加え、
（１）ハンドル部を手等で回動させることにより袋体の開口部の締め付けを行うことができ、さらに、ハンドル部を固定することによって袋体の口を締め付けた状態を維持することができるので、取扱いが容易で操作性に優れた携帯用便器を提供することができる。
【００３９】
本発明の請求項５に記載の発明によれば、請求項４の効果に加え、
（１）ハンドル部を固定すると、連結している巻き取り部が回動不能となり、紐体による袋体の口の締め付けを維持することができるので、排泄物を収容した袋体を密封した状態を維持することで、排泄後の悪臭及び、便器本体が倒れる等した際に排泄物が漏出することを防ぐことができる携帯用便器を提供することができる。
【図面の簡単な説明】
【図１】実施の形態における携帯用便器の要部斜視図
【図２】実施の形態における便座部及び袋を取り外した状態を示す携帯用便器の要部斜視図
【図３】（ａ）実施の形態における袋の締め付けが行われていない状態を示す携帯用便器の要部平面図
（ｂ）実施の形態における袋の締め付けが行われた状態を示す携帯用便器の要部平面図
【符号の説明】
１  携帯用便器
２  便器本体
３  ハンドル部
３ａ  ハンドル把持部
４  ハンドル孔
５  ハンドル固定軸
６  ハンドル固定部
６ａ  ハンドル固定孔
７  袋体
８  便座部
８ａ  排泄孔
９  便座部係止部
１０  突起部
１１  便座部カバー
１２ａ、１２ｂ  手入れ孔
１３  巻き取り部保持部
１４  締め付け孔
１５ａ、１５ｂ  軸係支孔
１６  巻き取り軸
１７  巻き取り部
１８ａ、１８ｂ  軸ストッパー
１９ａ、１９ｂ  組紐
２０  コイルばね
２１ａ、２１ｂ  紐掛け部
２２  軸挿通孔
【図１】
0003655815.tif 000002
【図２】
0003655815.tif 000003
【図３】
0003655815.tif 000004